(57)【要約】【課題】従来の電子機器においては、外装を構成する筐体に対して蓋体が取り外し可能に構成されている場合には、開口部を開放するために蓋体を取り外すと、その蓋体を紛失するおそれがある。【解決手段】アクセサリーシュー４７を露出させるための開口部３５を有する外装ケース２と、その外装ケースの内側で開口部を開閉可能なシューカバー３６と、そのシューカバーを開口部３５の閉鎖位置と開放位置との間に移動させる蓋体移動機構３７と、を備えている。蓋体移動機構３７は、４つのガイドピン５３Ａ，５３Ｂと、４つのガイドピンが個別に係合される４つのガイド溝５１，５２を有し且つ４つのガイド溝で４つのガイドピンをガイドしてシューカバーを移動可能に支持するベース部材４４と、を有している。そして、４つのガイド溝の、シューカバー３６が閉鎖位置にあるときの４つのガイドピンが位置する部位の溝幅を、シューカバーが閉鎖位置から移動したときの４つのガイドピン位置する部位の溝幅よりも狭くした。【選択図】図１２
2010002514.tif 000002
【特許請求の範囲】
【請求項１】
内蔵された構造体を露出させるための開口部を有する筐体と、
前記筐体の内側で前記開口部を開閉可能な蓋体と、
前記蓋体を、前記開口部を閉じる閉鎖位置と前記開口部を開く開放位置との間に移動させる蓋体移動機構と、を備え、
前記蓋体移動機構は、前記蓋体に設けた４つのガイドピンと、前記４つのガイドピンがそれぞれ個別に係合される４つのガイド溝を有し且つ前記４つのガイド溝で４つのガイドピンを摺動自在に支持することにより前記蓋体を移動可能に支持するベース部材と、を有し、
前記４つのガイド溝の、前記蓋体が前記閉鎖位置にあるときの前記４つのガイドピンとそれぞれ対向する部位の溝幅を、前記蓋体が前記閉鎖位置から移動したときの前記４つのガイドピンとそれぞれ対向する部位の溝幅よりも狭くした
電子機器。
【請求項２】
前記蓋体は、前記構造物を跨いで移動可能な鞍状部材からなり、前記鞍状部材の前記移動方向と平行する左右の側面部に、それぞれ前記ガイドピンの２つを、前記移動方向に所定の間隔をあけて側方へ突出させて設け、
前記ベース部材は、前記蓋体の左右の側面部に対向される左右の側壁部を有し、前記左右の側壁部に前記ガイド溝の２つをそれぞれ設けた
請求項１記載の電子機器。
【請求項３】
前記４つのガイド溝は、前記閉鎖位置の側が高く設定され且つ前記開放位置の側が低く設定された傾斜部を少なくとも一部に有する
請求項２記載の電子機器。
【請求項４】
前記４つのガイド溝のうち、前記閉鎖位置に近い位置に配置された第１のガイド溝は、それが延在する方向の略全長に亘って緩やかな傾斜角度によって設定され、前記開放位置に近い位置に配置された第２のガイド溝は、それが延在する方向の大部分が略平行とされ且つ前記閉鎖位置の近くで急激な傾斜角度に設定されている
請求項３記載の電子機器。
【請求項５】
前記蓋体と前記ベース部材との間に弾性部材を介在させ、前記蓋体を所定位置を境として前記閉鎖位置の側又は前記開放位置の側に付勢させた
請求項１記載の電子機器。
【請求項６】
前記電子機器は、デジタルカメラやビデオカメラ等の撮像装置である
請求項１記載の電子機器。
【請求項７】
前記構造体は、アクセサリーシューである
請求項１記載の電子機器。
【発明の詳細な説明】
【技術分野】
【０００１】
本発明は、デジタルカメラやビデオカメラ等の撮像装置、テレビジョン受像機、パーソナルコンピュータ、音響装置その他の電子機器の筐体に設けた開口部を開閉可能とした蓋体構造に関し、特に、蓋体が筐体の内部で移動可能に構成された電子機器に関する。
【背景技術】
【０００２】
従来の、この種の電子機器としては、例えば、特許文献１に記載されているようなものがある。特許文献１には、アクセサリーシュー装置及び電子機器並びにアクセサリーに関するものが記載されている。この特許文献１に記載された電子機器は、電源用又は信号授受用の接片を有する電子機器側コネクタを備えた電子機器に関する。電子機器側コネクタは、電子機器に装着されるアクセサリーに設けられ電源用又は信号授受用の接片を有するアクセサリー側コネクタが挿入され、かつ、その挿入方向と直交する方向に移動される空間部を備える。空間部の底部を形成する電子機器側コネクタの箇所には、移動される方向と直交する方向において互いに向かい合い移動される方向に延在する一対のコネクタ側ガイド面が設けられている。そして、電子機器側コネクタの接片は、空間部の底部で一対のコネクタ側ガイドの間の箇所に、移動される方向と直交する方向に複数並べられ手も受けられている。
【０００３】
このような構成を有する電子機器（以下「第１の従来例」という。）によれば、一対のアクセサリーガイド面の間に設けられた複数の接片と、一対のコネクタ側ガイド面の間に設けられた複数の接片とが接触される際の各接片の配列方向における相対的な位置決めを高精度に行うことができる。従って、アクセサリー側コネクタの複数の接片と電子機器側コネクタの複数の接片との接続を確実に行いつつ、各接片の幅や接片間の間隔を縮小することができる。そのため、接片の占有スペースを縮小することができ、アクセサリー側コネクタと電子機器側コネクタの小型化を図る上で有利となる、等の効果が期待される（明細書の段落［０００５］を参照）。
【０００４】
また、従来の電子機器の他の例としては、例えば、特許文献２に記載されているようなものもある。特許文献２には、アクセサリーが装脱可能に装着される電子機器に関するものが記載されている。この特許文献２に係る電子機器は、外装を構成するケースと、そのケースに設けられ電源用又は信号授受用の接片を有する電子機器側コネクタとを有する電子機器に関する。ケースに電子機器側コネクタを収容する収容凹部が設けられ、その収容凹部に電子機器側コネクタが収容され、その収容凹部を開閉する蓋体が設けられている。
【０００５】
このような構成を有する電子機器（以下「第２の従来例」という。）によれば、蓋体によって収容凹部が閉塞された状態では、電子機器側コネクタがケースの外面に露出しない。そのため、ビデオカメラの外部にある物が電子機器側コネクタにぶつかったり、塵埃が電子機器側コネクタに付着したりすることを防止でき、電子機器側コネクタを保護する上で有利となる、等の効果が期待される（明細書の段落［０００５］を参照）。
【０００６】
しかしながら、第１の従来例の場合には、外装を構成するケースの上面前部に凹部が設けられ、その凹部内に電子機器側コネクタが配設されている。この凹部には、蓋が着脱可能に設けられている。電子機器側コネクタの非使用時には、凹部に蓋が装着されることで電子機器側コネクタが外部に対して覆われ、電子機器側コネクタの使用時には、凹部から蓋が取り外されることで電子機器側コネクタが外部に露出されるようになっている。そのため、凹部から蓋を取り外すと、蓋がケースと別個独立に形成されていて、蓋とケースが分離自在な構成となっていることから、取り外し時において蓋を紛失し易いという問題があった。
【０００７】
また、第２の従来例の場合には、ケースに対して蓋体が取り外し不能に取着されていることから、蓋体の紛失を防止することができるという利点はあるが、収容凹部を開放したときの蓋体は、ケースの外側に飛び出した状態となる。そのため、収容凹部の開放時、ケースの外面に蓋体による凸部が生ずることから、その蓋体が障害物になることがあると共に、美観の点からも見映えが良くないという問題があった。
【特許文献１】特開２００５−３１５９８９号公報
【特許文献２】特開２００６−１７９３９３号公報
【発明の開示】
【発明が解決しようとする課題】
【０００８】
解決しようとする問題点は、従来の電子機器においては、外装を構成する筐体に対して蓋体が取り外し可能に構成されている場合には、開口部を開放するために蓋体を取り外すと、その蓋体を紛失するおそれがある。また、筐体に対して蓋体を取り外し不能に構成したとしても、その蓋体が筐体の外側に露出されていると、蓋体が邪魔になると共に、美観の点からも見映えが良くない、という点である。
【課題を解決するための手段】
【０００９】
本出願の電子機器は、内蔵された構造体を露出させるための開口部を有する筐体と、その筐体の内側で開口部を開閉可能な蓋体と、その蓋体を、開口部を閉じる閉鎖位置と開口部を開く開放位置との間に移動させる蓋体移動機構と、を備えている。蓋体移動機構は、蓋体に設けた４つのガイドピンと、その４つのガイドピンがそれぞれ個別に係合される４つのガイド溝を有し且つ４つのガイド溝で４つのガイドピンを摺動自在に支持することにより蓋体を移動可能に支持するベース部材と、を有している。そして、４つのガイド溝の、蓋体が閉鎖位置にあるときの４つのガイドピンとそれぞれ対向する部位の溝幅を、蓋体が閉鎖位置から移動したときの４つのガイドピンとそれぞれ対向する部位の溝幅よりも狭くした。
【発明の効果】
【００１０】
本出願の電子機器によれば、開口部を開放させて構造体を露出させるときには、蓋体が筐体内に滑り込むように収納されるため、蓋体を滑らかに移動することができる。しかも、蓋体を開いて開口部を完全に開放した状態では、４つのガイドピンが４つのガイド溝の溝幅の狭い部分に入り込むため、蓋体にガタを生じることがなく、開口部をしっかりと閉めることができる。更に、開口部の開放時、蓋体が邪魔になって操作性を害するおそれがない。
【発明を実施するための最良の形態】
【００１１】
蓋体を移動させて筐体の開口部を開閉する蓋体移動機構を、４つのガイドピンを蓋体に設けると共に、その４つのガイドピンを摺動可能に係合保持する４つのガイド溝をベース部材に設け、４つのガイド溝の蓋体が閉鎖位置にあるときの溝幅を蓋体が開放位置側へ移動したときの溝幅よりも狭くすることにより、簡単な構成によって実現した。
【実施例１】
【００１２】
図１〜図３は、本発明が適用された電子機器の一具体例を示す撮像装置の第１の実施の例として示すデジタルビデオカメラ１である。このデジタルビデオカメラ１は、プラスチックカードの中にＣＰＵ、メモリ等のＬＳＩを内蔵した半導体記憶媒体（例えば、メモリカード等）を情報記憶媒体として用い、その情報記憶媒体を着脱自在に構成したものである。そして、レンズ装置を介して入力される被写体の光学的な画像を撮像素子で電気信号に変換し、その信号を表示装置に供給して画像表示し、若しくは情報記憶媒体に記録し、或いは、予め情報記憶媒体に記録されている情報を表示装置に表示できるようにしている。
【００１３】
しかしながら、本発明に係る撮像装置としては、この記録方式のデジタルビデオカメラ１に限定されるものではなく、アナログ記録方式であってもよく、また、二以上の情報記憶装置を備えたビデオカメラであってもよいことは勿論である。例えば、第１の記憶装置として半導体記憶媒体を内蔵記憶装置として用い、第２の記憶装置としてディスク状記録媒体やテープ状記録媒体或いは別の半導体記憶媒体を着脱可能に設ける構成とすることもできる。なお、撮像素子としては、例えば、ＣＣＤ（電荷結合素子）やＣＭＯＳ（相補性金属酸化膜半導体）等を挙げることができる。
【００１４】
デジタルビデオカメラ１は、筐体の一具体例を示す外装ケース２と、前記半導体記憶媒体と、レンズ装置３と、表示装置４と、これらを駆動制御する図示しない制御装置等を備えて構成されている。半導体記憶媒体は、外装ケース２に対して着脱可能に構成されていて、外装ケース２に装着された半導体記憶媒体に対して、制御装置が情報信号の記録（書き込み）や再生（読み出し）を実行する。レンズ装置３は、被写体の画像を光として取り込んで撮像素子に供給し、この撮像素子から出力される電気信号により、撮像された画像が表示装置４に画面表示され或いは記憶装置に記憶される。
【００１５】
図１〜図３に示すように、外装ケース２は、略筒型をなす中空の容器体からなり、軸方向を前後方向に設定して用いられている。この外装ケース２の前部に、略同様の太さを有する円筒状のレンズ装置３が配設されている。レンズ装置３は、そのレンズ系の光軸を水平方向に向けた状態で外装ケース２に取り付けられている。この外装ケース２の内部において、レンズ装置３の後部に、図示しない撮像素子が配置されている。レンズ装置３は、外装ケース２の前部に固定された固定鏡筒５と、可動鏡筒６と、レンズ系７と、フラッシュ装置８等によって構成されている。
【００１６】
レンズ装置３の可動鏡筒６は、固定鏡筒５に対して軸方向へ進退移動可能に支持されている。これら固定鏡筒５及び可動鏡筒６により、複数のレンズの組み合わせからなるレンズ系７が保持されている。フラッシュ装置８は、固定鏡筒５の外周面の一方の側部に横置き状態で固定されており、フラッシュモードにおいて、図示しないシャッタ機構の動作に連動して発光するようになっている。
【００１７】
外装ケース２の一方の側面には、表示装置４が姿勢変更可能に取り付けられている。表示装置４は、平板状の液晶ディスプレイや有機ＥＬディスプレイ等からなる平面表示パネル９と、この平面表示パネル９が収納されたパネルケース１０とからなり、パネルケース１０がパネル支持部１１によって外装ケース２に姿勢変更可能に支持されている。パネルケース１０は、略直方体をなす偏平で中空の蓋体からなり、外装ケース２の一方の側面と対向する面には、平面表示パネル９の表示面を露出させるための開口窓１２が設けられている。
【００１８】
パネルケース１０の開口窓１２は、長手方向に延在された長方形の開口穴からなり、この開口窓１２を囲う四辺が四角形のケース枠１０ａとなっている。このパネルケース１０のケース枠１０ａの、パネル支持部１１と反対側に、平面表示パネル９に表示されている機能やその他の動作を実行するために操作される複数の操作ボタンからなるパネル側の操作ボタン群１３が配設されている。操作ボタン群１３の操作ボタンとしては、例えば、録画用のスタート・ストップボタン、ズームレンズ用のズームボタン（ワイド側ボタンとテレ側ボタン）等を挙げることができる。
【００１９】
パネル支持部１１は、パネルケース１０を前後方向へ回動させる前後回動部と、パネルケース１０を旋回動作させる旋回回動部とを有している。パネル支持部１１の前後回動部は、その垂直軸を回動中心としてパネルケース１０を水平方向に略９０度回動させることを可能とした機構部である。また、旋回回動部は、その水平軸を回動中心としてパネルケース１０を略２７０度旋回させることを可能とした機構部である。これにより、表示装置４は、パネル支持部１１の前後回動部の機能を介して、図２に示すパネルケース１０を外装ケース２の側面に沿わせた収納状態と、図３に示すパネルケース１０を水平方向の前側に回動させて側方に展開させた開放状態とを取ることができる。
【００２０】
更に、表示装置４は、パネル支持部１１の旋回回動部の機能を介して、平面表示パネル９を前方に向けた状態と、後方に向けた状態と、下方に向けた状態と、これらの間の任意の方向に向けた状態とを無段階に取ることができる。即ち、パネルケース１０は、一方では、図２に示す状態からパネルケース１０を前方へ１８０度回動させて平面表示パネル９を前面に対向させた姿勢を取ることができる。そして、他方では、図２に示す状態からパネルケース１０を後方へ９０度回動させて平面表示パネル９を下面に対向させた姿勢を取ることができる。これにより、パネルケース１０は、旋回回動部による旋回動作に関しては、最大で約２７０度回動可能となっている。
【００２１】
図３に示すように、外装ケース２の一方の側面には、表示装置４が出し入れ可能に収納されるベース部１５が設けられている。ベース部１５は、パネルケース１０の外形に見合う略長方形をなす膨出部として形成されており、その内部には中空の空間部が設けられている。このベース部１５の空間部内には、図示しない制御装置が収納されており、その制御装置は、所定の配線回路が設けられ配線基板と、その配線基板に搭載されたＣＰＵやＬＳＩその他の必要とされる電子部品等からなっている。
【００２２】
更に、ベース部１５のパネルケース１０と対向する面には、複数の操作ボタンからなる本体側の操作ボタン群１６と、複数のマウントインシュレータ１７と、記録媒体用蓋１８と、多数の透孔１９が設けられている。操作ボタン群１６の操作ボタンとしては、例えば、バックライトボタン、リセットボタン、ナイトショット切換スイッチ等を挙げることができる。マウントインシュレータ１７は、パネルケース１０の内面がベース部１５の面に直接接触するのを防止するものでゴム状弾性体によって形成されている。
【００２３】
記録媒体用蓋１８は、記憶媒体収納部を開閉するもので、外装ケース２に回動自在に取り付けられている。この記憶媒体収納部に対して、図示しない半導体記憶媒体が出し入れ可能に収納され、所望の情報の記録や再生に供される。また、ベース部１５の多数の透孔１９の内側には、図示しないスピーカ装置が収納されており、これらの透孔１９から、内蔵されたスピーカ装置の音が放出される。なお、ベース部１５の前部にはフォーカス調整ダイヤル２１が設けられている。フォーカス調整ダイヤル２１は、レンズ装置３のフォーカス調整を手動操作によって可能としたものである。
【００２４】
また、図３に示すように、外装ケース２は、その略全体がデジタルビデオカメラ１を片手で把持できるように把持部として構成されている。そして、外装ケース２を把持する手を補助するために、外装ケース２の表示装置４と反対側の側面部に、前後方向へ架け渡すようにハンドベルト２４が取り付けられている。ハンドベルト２４は、外装ケース２の側面部に固定されたベルト固定部材２５の長手方向の両端に掛け止められている。ハンドベルト２４にはハンドパッド２６が装着されている。これらハンドベルト２４とハンドパッド２６で外装ケース２を握るユーザーの手を支えることにより、デジタルビデオカメラ１の取り落とし等を防止している。
【００２５】
外装ケース２の上部は、図６に示すように、断面形状が円弧形をなす樋状のトップカバー３０と、このトップカバー３０の断面形状が連続する長手方向の一側である後部に連結されて一体的に組み立てられるリアカバー３１とを有している。トップカバー３０のリアカバー３１と反対側である前部には、前方に突出する前庇部３２が設けられている。前庇部３２には、外面側に開口するマイクロホン収納部３３が設けられている。マイクロホン収納部３３には、図示しないマイクロホン装置が収納されている。そして、マイクロホン収納部３３の開口部には、多数の通気孔を網目のように設けた網目状カバー３４が装着されている。
【００２６】
更に、トップカバー３０には、図１に示すように、ビデオライト２００や外付けマイクロホン、その他のアクセサリーが着脱可能に装着されるアクセサリーシューを露出させるための開口部３５が設けられている。この開口部３５は、蓋体の一具体例を示すシューカバー３６によって開閉可能とされており、そのシューカバー３６は、後述する蓋体移動機構３７によって外装ケース２の内側をその長手方向である前後方向へ移動可能に構成されている。
【００２７】
トップカバー３０の長手方向の後部はサイン曲線のような凹側の曲線部を有する端面形状として形成されている。このトップカバー３０の端面形状に対応した凸側の曲線部を有する端面形状がリアカバー３１に形成されている。このような端面形状をトップカバー３０とリアカバー３１に設けることにより、トップカバー３０に対してリアカバー３１を、その後方を緩い傾斜角度で持ち上げたような膨らみを持たせた形状として連結している。これにより、リアカバー３１には、前面部３１ａと、後面部３１ｂと、側面部３１ｃとが設けられている。
【００２８】
リアカバー３１のトップカバー３０側に設定された前面部３１ａは、緩やかな円筒状の曲面を有している。そして、リアカバー３１の後面部３１ｂは、前面部３１ａの後方に連続して急激に傾斜した曲面を有している。また、リアカバー３１の側面部３１ｃは、長手方向と直交する幅方向の一側において、前面部３１ａと後面部３１ｂに連続して下方へ突出するように形成されている。
【００２９】
リアカバー３１の前面部３１ａには、レンズ装置３をズーム動作させるためのレバースイッチからなるズームレバー３８と、被写体を１コマ毎（静止画）に撮影するための押しボタンスイッチからなるシャッタボタン３９が配置されている。ズームレバー３８は、所定の範囲内で画像を連続的に拡大（テレ）又は縮小（ワイド）させるものである。このズームレバー３８とシャッタボタン３９は、ズームレバー３８を前側にして、前面部３１ａの頂上に沿うように並べて配置されている。
【００３０】
リアカバー３１の後面部３１ｂには、撮影モードを切り換えるモード切換スイッチと電源をオン・オフする電源スイッチとを兼ねるマルチ切換ダイヤル４１が配置されている。マルチ切換ダイヤル４１は、回動操作によって電源をオン・オフ切り換える機能と、電源をオンした状態で回動操作することにより複数の機能モードを繰り返すように切り換える機能とを有している。更に、リアカバー３１の側面部３１ｃの背面側には、動画撮影を実行する録画ボタン４２が設けられている。
【００３１】
このトップカバー３０の内側に、レンズ装置３の光軸方向と平行にシューカバー３６を移動可能とした蓋体移動機構３７が取り付けられている。蓋体移動機構３７は、図１２に分解して示すように、複数の部品の組み合わせによって構成されており、ベース部材４４と付勢部材４５と枠部材４６とアクセサリーシュー４７とスライダ４８等を有している。
【００３２】
蓋体移動機構３７のベース部材４４は、所定の幅を有する長方形のように延在された板状の部材からなっている。このベース部材４４の幅方向の両側に、それぞれの端部を９０度折り曲げて同方向へ立ち上げることにより長手方向に連続する互いに平行をなす２つの側壁部４４ａ，４４ａが設けられている。このベース部材４４の複数箇所（この実施例では８箇所）に、このベース部材４４をトップカバー３０にネジ止めするための挿通孔４９が設けられている。更に、ベース部材４４には、上述した構成部品のうち、プラスチックによって構成される部品をカシメ止めしたり、ネジ止めするための多数のスリット５０が設けられている。
【００３３】
ベース部材４４の２つの側壁部４４ａ，４４ａには、それぞれ左右対称をなすように配置された第１のガイド溝５１と第２のガイド溝５２が設けられている。第１のガイド溝５１と第２のガイド溝５２は、ベース部材４４の長手方向に所定の間隔をあけて配置されており、第１のガイド溝５１の設定されている位置が、トップカバー３０に設けた開口部３５がシューカバー３６によって閉じられる閉鎖位置である。そして、第２のガイド溝５２の設定されている位置が、シューカバー３６の移動によって開口部３５が開かれる開放位置となっている。これら第１及び第２のガイド溝５１，５２にガイドされてスライダ４８が閉鎖位置と開放位置との間を移動される。
【００３４】
第１のガイド溝５１と第２のガイド溝５２は、図１３Ａ〜１３Ｃに示すような形状を有している。第１のガイド溝５１及び第２のガイド溝５２は、閉鎖位置側を前側としたときに、それぞれ前水平部５１ａ，５２ａと傾斜部５１ｂ，５２ｂと後水平部５１ｃ、５２ｃとを有する点で共通しているが、それらの形状は異なっている。このように第１のガイド溝５１と第２のガイド溝５２とで形状を異にしたのは、シューカバー３６に対して、障害物となっている構造物の一具体例を示すアクセサリーシュー４７の上をスムースに通過できる動作を付与するために設定したものである。これらのガイド溝５１，５２には、後述するガイドピン５３Ａ，５３Ｂがそれぞれ摺動可能に係合される。
【００３５】
第１のガイド溝５１の前水平部５１ａは、水平方向へ適当な距離Ｅだけ延在された水平な溝部として形成されている。この前水平部５１ａは、前側に設けた距離Ｅ１を有する収納部５１a1と、この収納部５１a1の後方に連続して設けた距離Ｅ２を有するテーパ部５１a2とからなっている。このテーパ部５１a2の後方に、緩やかな角度によって傾斜された傾斜部５１ｂが連続されている。そして、傾斜部５１ｂの後方に、水平方向へ適当な距離だけ延在された水平な溝部からなる後水平部５１ｃが形成されている。
【００３６】
前水平部５１ａの収納部５１a1は、シューカバー３６が開口部３５を閉鎖したときに、第１のガイド溝５１に係合されているガイドピン５３Ａが存在する位置に設けられている。この位置では、収納部５１a1とガイドピン５３Ａとの間には、殆んどガタが生じないように寸法関係を設定する。また、テーパ部５１a2は、収納部５１a1から傾斜部５１ｂにかけて、その溝幅が徐々に大きく（広く）なるように形成する。本実施例においては、収納部５１a1の距離Ｅ１はガイドピン５３Ａの直径Ｄと同程度に設定し、テーパ部５１a2の距離Ｅ２はガイドピン５３Ａの直径Ｄの２倍程度に設定している。
【００３７】
ここで、収納部５１a1の溝幅をＷ１、ガイドピン５３Ａの直径をＤとすると、溝幅Ｗ１は、Ｄ＋０．０５〜０．１（Ｗ１＝Ｄ＋０．０５〜０．１）ｍｍ程度が好適である。更に、テーパ部５１a2の傾斜部５１ｂ側である幅広部の溝幅をＷ２とすると、溝幅Ｗ２は、Ｗ１＋０．１〜０．２（Ｗ２＝Ｗ１＋０．１〜０．２）ｍｍ程度が好適である。なお、傾斜部５１ｂ及び後水平部５１ｃの溝幅は、テーパ部５１a2の幅広部の溝幅と同じＷ２とすることが好ましい。しかしながら、本願発明は、これらの寸法関係に限定されるものではない。また、溝幅の両側が広げられたテーパ部５１a2に代えて、溝幅の片側のみを広げることによって勾配部を設ける構成としてもよい。
【００３８】
第２のガイド溝５２の前水平部５２ａは、水平方向へ若干距離Ｆだけ延在された水平な溝部として形成されている。この前水平部５２ａの後方に、急な角度によって傾斜された傾斜部５２ｂが連続されている。そして、傾斜部５２ｂの後方に、水平方向へ長く延在された水平な溝部からなる後水平部５２ｃが形成されている。前水平部５２ａは、シューカバー３６が開口部３５を閉鎖したときに、第２のガイド溝５２に係合されているガイドピン５３Ｂが存在する位置に設けられている。この位置では、収納部である前水平部５２ａとガイドピン５３Ｂとの間には、殆んどガタが生じないように寸法関係を設定する。
【００３９】
ここで、前水平部５２ａの溝幅をＷ１、ガイドピン５３Ｂの直径をＤとすると、溝幅Ｗ１は、第１のガイド溝５１と同様に、Ｄ＋０．０５〜０．１（Ｗ１＝Ｄ＋０．０５〜０．１）ｍｍ程度が好適である。そして、傾斜部５２ｂの溝幅をＷ２とすると、溝幅Ｗ２は、同じくＷ１＋０．１〜０．２（Ｗ２＝Ｗ１＋０．１〜０．２）ｍｍ程度とすることが好ましい。しかしながら、本願発明は、これらの寸法関係に限定されるものでないことは勿論である。
【００４０】
このような構成を有するベース部材４４の２つの側壁部４４ａ，４４ａ内に、付勢部材４５と枠部材４６とアクセサリーシュー４７とバネ受け部材（図１８を参照）が固定されている。そして、４つのガイド溝５１，５２を介してスライダ４８がベース部材４４に摺動可能に支持され、そのスライダ４８にシューカバー３６が係合されて固定されている。
【００４１】
付勢部材４５は、閉鎖位置に移動したシューカバー３６を外装ケース２の内側から外側へ向けて付勢するものである。この付勢部材４５の付勢力により、シューカバー３６をトップカバー３０の内面に押し付けて、開口部３５を内側から密閉できるように構成している。更に、付勢部材４５は、シューカバー３６の移動時にクリック感を付与し、開口部３５を完全に閉じた状態において適度な抵抗力を発揮させる機能を有している。このような機能を発揮する付勢部材４５は、図１４に示すように、平面形状がコ字状をなす固定部４５ａと、この固定部４５ａと一体に設けた２つの弾性体５５，５５からなっている。
【００４２】
付勢部材４５の２つの弾性体５５，５５は同一の形状を有しており、コ字状に形成することによって弾性を付与している。更に、各弾性体５５の中途部には、山形に突出する突起部５５ａが設けられており、この突起部５５ａによって上述したクリック感を生じさせることができる。２つの弾性体５５，５５は、付勢部材４５をベース部材４４に固定するための固定部４５ａの一面において、所定間隔をあけて対称となるよう平行に配置されている。
【００４３】
図１４は、付勢部材４５をベース部材４４に組み立てる状態を説明する図である。付勢部材４５の下面には複数のカシメ用凸起が設けられており、それらのカシメ用凸起をベース部材４４の所定の挿通孔に挿通して先端をカシメ加工することにより、付勢部材４５がベース部材４４に固定されている。ベース部材４４に対する付勢部材４５の取付け位置は、２つの弾性体５５，５５が２つの第１のガイド溝５１，５１の前水平部５１ａの内側に対向される位置である。
【００４４】
この付勢部材４５の２つの弾性体５５，５５間に前側半分が介在されるように枠部材４６が配設されている。図１２等に示すように、枠部材４６は、四角形の枠体として形成されている。この枠部材４６の下面には複数のカシメ用凸起が設けられており、それらのカシメ用凸起をベース部材４４の所定の挿通孔に挿通して先端をカシメ加工することにより、枠部材４６がベース部材４４に固定されている。図１５は、枠部材４６をベース部材４４に組み立てる途中の状態を説明する図である。そして、図１６は、枠部材４６をベース部材４４に組み立てた後の状態を説明する平面図である。この枠部材４６の枠内にアクセサリーシュー４７が収納されている。
【００４５】
アクセサリーシュー４７は、ベース部材４４の裏面側から図示しない複数の固定ネジによってネジ止めされている。このアクセサリーシュー４７の取付け位置は、第１のガイド溝５１，５１と対応する位置である。このアクセサリーシュー４７は、デジタルビデオカメラ１側のコネクタであり、合成樹脂材料を用いて形成された内側部材５６と、鋼板を用いて形成された外側部材５７とを備えている。外側部材５７はコ字状に折り曲げ形成されており、その内側に内側部材５６が嵌合されていて、外側部材５７の複数の凹凸を有する係止部５７ａの下面と内側部材５６との間に空間部５８が設けられている。また、内側部材５６には電源用又は信号授受用の接片が複数設けられており、それらの接片はスライドシャッタによって開閉可能に構成されている。
【００４６】
このアクセサリーシュー４７の上方にスライダ４８が配置されている。スライダ４８は、構造物であるアクセサリーシュー４７を跨いで移動可能なように鞍状の部材として構成されている。即ち、スライダ４８は、枠部材４６を両側から挟むように配置された互いに平行をなす２つの側面アーム４８ａ，４８ａと、左右の側面アーム４８ａ，４８ａ間を連結する架橋アーム４８ｂとからなっている。架橋アーム４８ｂは、アクセサリーシュー４７との接触を避けるために中高に形成されている。
【００４７】
スライダ４８の２つの側面アーム４８ａ，４８ａの前後には、所定の間隔をあけて合計４個のガイドピン５３Ａ，５３Ｂが固定されている。４個のガイドピン５３Ａ，５３Ｂは、左右対称に配置されていて、それぞれ側方へ突出するように設けられている。そして、４個のガイドピン５３Ａ，５３Ｂは、ベース部材４４に設けた４つのガイド溝５１，５２と個別にそれぞれ摺動可能に係合されている。即ち、スライダ４８の２つの側面アーム４８ａ，４８ａの前部に設けた２つのガイドピン５３Ａ，５３Ａは２つの第１のガイド溝５１，５１に係合され、２つの側面アーム４８ａ，４８ａの後部に設けた２つのガイドピン５３Ｂ，５３Ｂは２つの第２のガイド溝５２，５２に係合されている。
【００４８】
ガイドピン５３Ａとガイドピン５３Ｂは同一のものであり、それぞれ軸部５３ａと頭部５３ｂとカシメ部５３ｃとを有している。軸部５３ａの一側に当該軸部５３ａよりも大径の頭部５３ｂが連続して形成され、軸部５３ａの他側に当該軸部５３ａよりも小径のカシメ部５３ｃが連続して形成されている。各ガイドピン５３Ａ，５３Ｂは、頭部５３ｂを外側に配し、軸部５３ａをガイド溝５１，５２に係合させた状態で、カシメ部５３ｃを側面アーム４８ａにカシメ加工することによってスライダ４８に固定されている。このスライダ４８の架橋アーム４８ｂにシューカバー３６が嵌合されて固定されている。
【００４９】
シューカバー３６は、開口部３５の形状に見合う形状を有する嵌合部３６ａと、この嵌合部３６ａの周縁に設けたエプロン部３６ｂとからなっている。嵌合部３６ａは、エプロン部３６ｂの上面から上方へ膨出されており、閉鎖位置において、嵌合部３６ａが下から開口部３５に嵌まり合うことができるようになっている。このように、開口部３５に嵌合部３６ａを嵌め合わせることにより、開口部３５の密閉性を向上させることができる。このシューカバー３６の下面の、付勢部材４５の２つの弾性体５５，５５と対応する位置に、その弾性体５５に摺動接触して弾性変形させることによりバネ力を付与される２つの押圧凸部６１，６１が設けられている。
【００５０】
更に、シューカバー３６の下面には複数の係合突起６２が設けられており、それらの係合突起６２と対応する架橋アーム４８ｂの所定位置に複数の係合孔が設けられている。図１７は、スライダ４８をベース部材４４に組み立てた後、シューカバー３６をスライダ４８に組み立てる状態を説明する図である。スライダ４８の架橋アーム４８ｂに設けた複数の係合孔に係合突起６２を係合することにより、シューカバー３６がスライダ４８に熱カシメ止めにて取り付けられている。
【００５１】
また、図１８は、シューカバー３６を組み立てた後、ベース部材４４にバネ受け部材６３を組み立てる状態を説明する図である。バネ受け部材６３は、シューカバー３６をその移動方向である前後方向に付勢する弾性部材の一側を支持するもので、ベース部材４４に固定されている。バネ受け部材６３は、四角形の薄い板状の部材からなり、付勢部材４５と同様に、下面に突出させて設けたカシメ用凸起をベース部材４４の所定の挿通孔に挿通して先端をカシメ加工することによりベース部材４４に固定されている。バネ受け部材６３の上面の幅方向の一側には、上方に突出するバネ受け突起６４が設けられている。
【００５２】
このバネ受け部材６３のバネ受け突起６４に、図１９に示すように、弾性部材の一具体例を示す捩りバネ６５のコイル部の一側から突出する一方の弾性片が掛け止められている。捩りバネ６５の他方の弾性片はスライダ４８に掛け止められており、そのコイル部をフリーにして、全体としてトグル動作を発揮し得るように構成されている。この捩りバネ６５の作用によりスライダ４８（及びシューカバー３６）に、その移動方向の中間部において思案点が設定されている。これにより、捩りバネ６５のコイル部が思案点から前側に移動すると、スライダ４８には前側に向かう付勢力が付与され、これとは逆に、コイル部が思案点から後側に移動すると、スライダ４８には後側に向かう付勢力が付与される。
【００５３】
図２０Ａ，２０Ｂ及び図２１Ａ，２１Ｂは、上述のようにして組み立てられる蓋体移動機構３７の組立状態を説明する図である。即ち、図２０Ａ，２０Ｂは、シューカバー３６が移動方向の前端まで移動した状態を示すもので、図２０Ａは平面図、図２０Ｂは側面図である。また、図２１Ａ，２１Ｂは、シューカバー３６が移動方向の前端から少し手前まで移動した状態を示すもので、図２１Ａは平面図、図２１Ｂは側面図である。このとき、図２０Ａ，２０Ｂに示す状態では、シューカバー３６に設けた押圧凸部６１と付勢部材４５の弾性体５５との位置関係は、図７Ａ〜７Ｃに示す状態となっている。また、図２１Ａ，２１Ｂに示す状態では、押圧凸部６１と弾性体５５との位置関係は、図９Ａ〜９Ｃに示す状態となっている。
【００５４】
図７〜図１１は、トップカバー３０に蓋体移動機構３７を組み立てた組立状態及びその動作状態を説明するものである。即ち、図７Ａ〜７Ｃ及び図８Ａ，８Ｂは、トップカバー３０の開口部３５をシューカバー３６で完全に閉じた状態を示すもので、図７Ａは平面図、図７Ｂは図７ＡのＰ１−Ｐ１線断面図、図７Ｃは図７Ｂの要部Ｓ１の拡大断面図、図８Ａは図７ＡのＱ−Ｑ線断面図、図８Ｂは図７ＡのＲ−Ｒ線断面図である。
【００５５】
図７Ａ〜７Ｃ及び図８Ａ，８Ｂに示すように、シューカバー３６による開口部３５の全閉状態では、４つのガイドピン５３Ａ，５３Ｂのうち、閉じ側に位置する前ガイドピン５３Ａは第１のガイド溝５１の前水平部５１ａの収納部５１a1に係合されている。そして、開き側に位置する後ガイドピン５３Ｂは第２のガイド溝５２の前水平部５２ａに係合されている。この前水平部５１ａの収納部５１a1の溝幅Ｗ１と前ガイドピン５３Ａの軸径Ｄ、及び、前水平部５２ａの溝幅Ｗ１と後ガイドピン５３Ｂの軸径Ｄとは、それぞれが殆ど隙間（ガタ）を生じないような寸法関係によって形成されている。
【００５６】
また、シューカバー３６は、捩りバネ６５によって閉じ側に付勢され、シューカバー３６の前端部が開口部３５の内面に当接されている。更に、シューカバー３６の押圧凸部６１には、下方から付勢部材４５の弾性体５５が押圧されており、その弾性体５５に設けた山形の突起部５５ａによるバネ力が下方から押圧凸部６１に作用している。この弾性体５５の付勢力により、シューカバー３６の嵌合部３６ａが開口部３５に嵌め合わされ、その周縁をエプロン部３６ｂが閉鎖する。これにより、スライダ４８がベース部材４４に対して殆どガタのない状態で保持され、シューカバー３６はトップカバー３０の開口部３５の内面に押し付けられてガタのない状態で保持される。
【００５７】
これにより、例えば、レンズ装置３の焦点調整等による作動によって振動が発生し、その振動がトップカバー３０やベース部材４４等に伝達されたような場合にも、その振動によってシューカバー３６やスライダ４８が振動するのを防ぐことができる。そのため、シューカバー３６やスライダ４８の振動による異音の発生を防止することができ、その異音がマイクロホンにより拾われて雑音として記録されるのを防ぐことができる。
【００５８】
図９Ａ〜９Ｃは、開口部３５の全閉状態から、シューカバー３６を開き側に少し移動させて開口部３５を少し開いた状態を示すもので、図９Ａは平面図、図９ＢはＰ２−Ｐ２線断面図、図９Ｃは要部Ｓ２の拡大断面図である。シューカバー３６が図７Ｃに示す位置から図９Ｃに示す位置に移動するときには、まず、シューカバー３６の嵌合部３６ａが開口部３５から離脱し、次に、後方へ移動する動作となる。
【００５９】
即ち、シューカバー３６を後方へ移動させようとすると、まず、押圧凸部６１が弾性体５５を弾性変形させ、その突起部５５ａを押し下げて頂上を後方へ乗り越える。このとき、弾性体５５の弾性変形によるバネ力が、捩りバネ６５のバネ力に抗してシューカバー３６を移動させる移動力に対して、更に負荷として追加される。このときに追加される弾性体５５のバネ力により、シューカバー３６を移動させる際のクリック感として付与され、このクリック感によってシューカバー３６の動きを明確に感じることができる。
【００６０】
この弾性体５５のバネ力によって感じることができるクリック感は、図９Ｃに示す少し開いた状態から図７Ｃに示す閉じた状態にシューカバー３６を移動する場合にも、同様に得ることができる。弾性体５５の突起部５５ａが三角状の山形に形成されていて、摺動面が曲面となっている押圧凸部６１がどちら側から突起部５５ａを乗り越えても同じ機能を発揮し得るからである。なお、突起部５５ａの頂部の角度を調整することによってクリック感を強弱変化させることができ、頂角を鋭角にするとクリック感が強くなり、頂角を鈍角にするとクリック感を弱くすることができる。
【００６１】
上記の場合、スライダ４８に固定されている４つのガイドピン５３Ａ，５３Ｂのうち、前ガイドピン５３Ａは第１のガイド溝５１の前水平部５１ａの収納部５１a1から後方へ水平に移動してテーパ部５１a2に至る。一方、後ガイドピン５３Ｂは第２のガイド溝５２の前水平部５２ａから直ちに離れて傾斜部５２ｂに入り込む。この前水平部５１ａのテーパ部５１a2の幅広側の溝幅Ｗ２と傾斜部５２ｂの溝幅Ｗ２は、溝幅Ｗ１よりも適宜に大きく（広く）設定されている（Ｗ１＜Ｗ２）ため、これ以後のガイドピン５３Ａ，５３Ｂの移動は比較的容易に行うことができる。
【００６２】
図１０Ａ〜１０Ｃは、開口部３５を少し開いた状態からアクセサリーシュー４７が露出する半開き状態までシューカバー３６を開き側に移動させた状態を示すもので、図１０Ａは平面図、図１０Ｂは図１０ＡのＴ−Ｔ線断面図、図１０Ｃは図１０ＡのＵ−Ｕ線断面図である。このとき、前ガイドピン５３Ａは、第１のガイド溝５１の前水平部５１ａのテーパ部５１a2から後方へ移動して傾斜部５１ｂに入り込み、緩やかな下がりの状態となる。そして、傾斜部５１ｂを緩やかに下って後方へ移動する。一方、後ガイドピン５３Ｂは第２のガイド溝５２の傾斜部５２ｂを早期に通過した後、後水平部５２ｃに入り込んで後方へ略水平に移動する。
【００６３】
このような動きをシューカバー３６に持たせることにより、図１０Ｂに示すように、構造物であるアクセサリーシュー４７が存在する場合にも、そのアクセサリーシュー４７に接触することなくシューカバー３６を容易に後方へ移動させることができる。しかも、移動時におけるシューカバー３６の高さ変化を最小限に抑えることができるため、この種の蓋体移動機構における薄型化、小型化を図ることができる。
【００６４】
即ち、シューカバー３６が少し開いた状態から後方へ移動すると、前ガイドピン５３Ａは、第１のガイド溝５１の傾斜部５１ｂを移動するが、その傾斜部５１ｂはなだらかな後下がり傾斜面であって、ある程度の高さ位置が保たれている。これに対して、後ガイドピン５３Ｂは、第２のガイド溝５２の後水平部５２ｃを水平方向後方へそのまま移動する。その結果、シューカバー３６の姿勢が、前ガイドピン５３Ａの前側では高い位置を維持し、後ガイドピン５３Ｂの後側が低い位置を維持して変化するために、アクセサリーシュー４７に接触することなくシューカバー３６を後方へ移動させることができる。
【００６５】
図１１Ａ〜１１Ｃは、開口部３５を完全に開いた状態を示すもので、図１１Ａは平面図、図１１Ｂは図１１ＡのＶ−Ｖ線断面図、図１１Ｃは図１１ＡのＷ−Ｗ線断面図である。このとき、前ガイドピン５３Ａは第１のガイド溝５１の後水平部５１ｃの後端に到達し、後ガイドピン５３Ｂは第２のガイド溝５２の後水平部５２ｃの後端に到達する。この状態では、シューカバー３６は、トップカバー３０の内面に張り付いたような状態に保持されるため、シューカバー３６の収納スペースが小さい蓋体移動機構３７を構成することができる。
【００６６】
前記トップカバー３０とリアカバー３１とシューカバー３６と付勢部材４５と枠部材４６の材質としては、例えば、ＰＣ＋ＡＢＳ（ポリカーボネートとアクリロニトリル・ブタジエン・スチレン樹脂との混合材）やＡＢＳ等が好適である。しかしながら、その他のエンジニアリングプラスチックを用いることができることは勿論のこと、ステンレス合金やアルミニウム合金その他の金属材料を用いることもできる。また、ベース部材４４及びスライダ４８の材質としては、例えば、ステンレス合金が好適であるが、アルミニウム合金その他の金属材料を用いることができることは勿論のこと、ＡＢＳ等のエンジニアリングプラスチック等を用いることもできる。
【００６７】
また、レンズ装置３の後方であって、リアカバー３１の内側には、電源の一具体例を示すバッテリー７０（図３〜図５を参照）が着脱可能に装着されるバッテリーホルダ７１が、図示しない固定ネジにより締め付けられて固定されている。このバッテリーホルダ７１は、外装ケース２の一部を成すもので、図２２〜図３３に示すような構成を備えている。
【００６８】
即ち、バッテリーホルダ７１は、図２２〜図２４に示すように、バッテリー７０の大きさに対応した大きさを有し、背面と下面に開口された立方体状の容器体からなっている。バッテリーホルダ７１の背面部７１ａは、外装ケース２の背面を閉じるように仕切るもので、この背面部７１ａにはバッテリー７０の端子部が設けられた内面が対向される。背面部７１ａは、縦方向に長く形成された長方形の平面部からなり、その長手方向の一側に上面部７１ｂが９０度折り曲げるように連続されている。更に、背面部７１ａの幅方向の両側に、左右の側面部７１ｃ，７１ｄが同じく９０度折り曲げるように連続されている。
【００６９】
これら背面部７１ａと上面部７１ｂと左右の側面部７１ｃ，７１ｄは、例えば、射出成形等の製造手段によって一体に形成されている。これら背面部７１ａと上面部７１ｂと左右の側面部７１ｃ，７１ｄとで囲まれた空間部が、バッテリー７０を保持するためのバッテリー収納部７２となっている。このバッテリーホルダ７１の上面部７１ｂによってリアカバー３１の下面が閉じられている。そして、背面部７１ａの上部から上面部７１ｂに至る部分に、図示しない接続端子が嵌合される端子用開口穴７３が設けられている。
【００７０】
また、バッテリーホルダ７１の左右の側面部７１ｃ，７１ｄの内面には、挿入されたバッテリー７０を係合保持するための係合片７４が３つずつ左右対称をなすように設けられている。背面部７１ａの長手方向の上面部７１ｂと反対側には、上面部７１ｂと逆側に突出する張出し部７１ｅが設けられている。この張出し部７１ｅには、バッテリー７０の脱落を防止する図示しないロックボタンが取り付けられている。
【００７１】
このような構成を有するバッテリーホルダ７１の左側面部７１ｃに、開閉蓋の具体例を示す第１の端子蓋８１と第２の端子蓋８２が隣り合うように配置されている。図２２〜図２５に示すように、第１の端子蓋８１は、第１のヒンジ軸８３によって第１のヒンジ部８４に略９０度の範囲で回動自在に支持されている。また、第２の端子蓋８２は、第２のヒンジ軸８５によって第２のヒンジ部８６に略９０度の範囲で回動自在に支持されている。第１の端子蓋８１は、バッテリーホルダ７１の左側面部７１ｃに設けた第１の端子取付部８７の取付面の全体を覆うことができる大きさとされている。また、第２の端子蓋８２は、同じく左側面部７１ｃに設けた第２の端子取付部８８の取付面の全体を覆うことができる大きさとされている。
【００７２】
第１の端子取付部８７の取付面と第２の端子取付部８８の取付面は、ともに外装ケース２の背面側へ向くように所定の幅で左側面部７１ｃの縁部分に沿ってその略全長に亘る大きさとして形成されている。この実施例では、上面部７１ｂ側に設けた第１の端子取付部８７は、左側面部７１ｃの長さの略３／４程度を占めており、第２の端子取付部８８は残り１／４程度の長さを占めている。第１の端子取付部８７と第２の端子取付部８８との間には適当な大きさの段差が設定されており、第２の端子取付部８８が第１の端子取付部８７よりも一段低い位置に設定されている。
【００７３】
第１の端子取付部８７には第１の取付穴９１と第２の取付穴９２とが設けられ、第２の端子取付部８８には第３の取付穴９３が設けられている。この実施例では、第１の取付穴９１にはＨＤＭＩ用コネクタが配置され、第２の取付穴９２にはＡ／Ｖ−Ｒ用コネクタが配置され、第３の取付穴９３にはＤＣ−ＩＮコネクタが配置されている。ＨＤＭＩ用コネクタは、ＨＤＭＩ規格を満たす接続具であり、非圧縮デジタル音声・映像信号を伝達する。Ａ／Ｖ−Ｒ用コネクタは、コンポジット信号とコンポーネント信号の両方を取り扱うことができる接続具である。コンポジット信号は、テレビジョン映像を構成する輝度信号と色信号を合成して同時に扱えるようにした複合映像信号のことで、通常は同期信号も同時に複合化される。コンポーネント信号は、テレビジョン映像を構成する輝度信号と同期信号と色信号をそれぞれ分解して扱えるようにした映像信号である。また、ＤＣ−ＩＮコネクタは、電源入力用の接続具であり、家庭用電源等に接続される。
【００７４】
第１のヒンジ部８４は、バッテリーホルダ７１に設けた第１のホルダ側軸受部８４ａと、第１の端子蓋８１に設けた一対の第１の蓋側軸受部８４ｂ，８４ｃと、前記第１のヒンジ軸８３とによって構成されている。第１のホルダ側軸受部８４ａは、左側面部７１ｃの中途部でその縁に沿って適宜な長さの突条部として形成されており、この第１のホルダ側軸受部８４ａを両側から挟むように一対の第１の蓋側軸受部８４ｂ，８４ｃが、第１の端子蓋８１の一方の長辺に沿って適宜な長さの突条部として形成されている。
【００７５】
第１のホルダ側軸受部８４ａには、背面部７１ａ側に開口された断面形状がＵ字形をなす軸受溝９５ａが軸方向の全長に亘り延在されて設けられている。これに対して、一対の第１の蓋側軸受部８４ｂ，８４ｃのうち、第２の端子蓋８２から遠い側に位置する第１の蓋側軸受部８４ｂには軸方向へ貫通する貫通孔９５ｂが設けられている。そして、他方の第１の蓋側軸受部８４ｃには、軸方向に貫通する挿通孔９５ｃが設けられている。これら貫通孔９５ｂと軸受溝９５ａと挿通孔９５ｃに第１のヒンジ軸８３を挿通させることにより、第１の端子蓋８１が第１のヒンジ部８４によってバッテリーホルダ７１に取り付けられている。第１のヒンジ軸８３の軸方向の一端には、軸径を他の部分よりも大きくした頭部８３ａが設けられている。
【００７６】
なお、第１のホルダ側軸受部８４ａの第２の端子蓋８２と反対側には、第１の蓋側軸受部８４ｂに対応する閉鎖された凹曲面部１０７が設けられている。一方、第１のホルダ側軸受部８４ａの第２の端子蓋８２側には、第１の端子取付部８７の表裏面を貫通する溝状の切欠き部１０８が設けられている。この切欠き部１０８は、第２のヒンジ軸８５を第１のヒンジ部８４側から第２のヒンジ部８６へ組み立てたり、分解したりできるようにするために設けたものである。この切欠き部１０８の幅は、第２のヒンジ軸８５の直径よりも少し大きく形成されており、第２のヒンジ軸８５は切欠き部１０８を通過可能になっている。
【００７７】
第２のヒンジ部８６は、バッテリーホルダ７１に設けた第２のホルダ側軸受部８６ａと、第２の端子蓋８２に設けた一対の第２の蓋側軸受部８６ｂ，８６ｃと、前記第２のヒンジ軸８５とによって構成されている。第２のホルダ側軸受部８６ａは、左側面部７１ｃの中途部でその縁に沿って適宜な長さの突条部として形成されており、この第２のホルダ側軸受部８６ａを両側から挟むように一対の第２の蓋側軸受部８６ｂ，８６ｃが、第２の端子蓋８２の一方の辺に沿って適宜な長さの突条部として形成されている。
【００７８】
第２のホルダ側軸受部８６ａには、断面形状が円形をなす軸受孔９６ａが軸方向へ貫通するように設けられている。また、一対の第２の蓋側軸受部８６ｂ，８６ｃのうち、第１の端子蓋８１に近い側に位置する第２の蓋側軸受部８６ｂには軸方向へ貫通する貫通孔９６ｂが設けられている。そして、他方の第２の蓋側軸受部８６ｃには、同じく軸方向へ貫通する挿通孔９６ｃが設けられている。これら貫通孔９６ｂと軸受孔９６ａと挿通孔９６ｃに第２のヒンジ軸８５を挿通させることにより、第２の端子蓋８２が第２のヒンジ部８６によってバッテリーホルダ７１に取り付けられている。
【００７９】
第２のヒンジ軸８５の軸方向の長さは、第２のヒンジ部８６の貫通孔９６ｂ側の一端から挿通孔９６ｃ側の他端までの長さよりも少しだけ長く形成されており、組立後に、第２のヒンジ軸８５の一部が第１のヒンジ部８４に残存するように構成されている。このように構成した理由は、第１のヒンジ部８４側から第２のヒンジ軸８５を引き抜き易いようにしたことによるものである。そのため、第１の端子取付部８７と第２の端子取付部８８との間を仕切るように設けた仕切り片９７には、これを厚み方向へ貫通するスリット９７ａが設けられている。
【００８０】
仕切り片９７のスリット９７ａは、第２のヒンジ部８６の軸受孔９６ａの軸心線と略一致するように設けられているが、第１のヒンジ部８４の軸受溝９５ａの中心線に対しては、半径方向へ所定距離だけ偏倚するように構成されている。その理由は、第１のヒンジ軸８３と第２のヒンジ軸８５が重なり合わない範囲内で、第１のヒンジ軸８３の軸心線と第２のヒンジ軸８５の軸心線をできるだけ接近させる必要性があったことによるものである。その必要性は、第１の端子蓋８１の外周面と第２の端子蓋８２の外周面をそれぞれ円弧状に形成し、それらの外周面を一つの連続した曲面のように構成することを目的とすることによる。更に、第１の端子蓋８１と第２の端子蓋８２を硬質プラスチックで形成しており、これにより、２つの端子蓋８１，８２に剛体による見た目の安定感、安心感等を与えるようにしている。
【００８１】
また、第２のヒンジ軸８５の第２のヒンジ部８６からの脱落を防止するため、図２３及び図３０に示すように、バッテリーホルダ７１の左側面部７１ｃの背面側には押え板９８が２つの固定ネジ９９によって締め付け固定されている。押え板９８は、組立時に先端縁が第１のヒンジ軸８５の側方に対向される軸対向部９８ａと、バッテリーホルダ７１にネジ止めするための２つの固定部９８ｂ，９８ｃを有している。軸対向部９８ａの側縁に、組立後の第２のヒンジ軸８５の軸方向の一端が対向される。また、２つの固定部９８ｂ，９８ｃは、２つの爪収納部１０１Ａ，１０１Ｂのそれぞれ一方の開口を閉じる蓋体を兼ねている。
【００８２】
第１の爪収納部１０１Ａには、第１の付勢爪１０２と圧縮コイルバネ１０４が収納されている。第１の爪収納部１０１Ａの他方の開口は、第１の端子取付部８７の第１のヒンジ部８４の近傍に設けられており、その開口に第１の付勢爪１０２の爪部１０２ａが挿通されている。第１の端子取付部８７の上方に突出した爪部１０２ａは、圧縮コイルバネ１０４のバネ力により付勢されて第１の端子蓋８１の第１の蓋側軸受部８４ｂに設けた円弧カム状の突起１０５に当接されている。この圧縮コイルバネ１０４のバネ力に基づく第１の付勢爪１０２の押圧力により、第１の端子蓋８１は、第１の端子取付部８７を閉じた状態と、その閉鎖状態から略９０度回動した開放状態とを選択的に取ることができるようになっている。
【００８３】
第２の爪収納部１０１Ｂには、第２の付勢爪１０３と圧縮コイルバネ１０４が収納されている。第２の爪収納部１０１Ｂの他方の開口は、第２の端子取付部８８の第２のヒンジ部８６の近傍に設けられており、その開口に第２の付勢爪１０３の爪部１０３ａが挿通されている。第２の端子取付部８８の上方に突出した爪部１０３ａは、圧縮コイルバネ１０４のバネ力により付勢されて第２の端子蓋８２の第２の蓋側軸受部８６ｂに設けた円弧カム状の突起１０６に当接されている。この第２の付勢爪１０３の押圧力により、第２の端子蓋８２は、第２の端子取付部８８を閉じた状態（図３１Ａ，Ｂ）と、その閉鎖状態から略９０度回動した開放状態（図３２Ａ，Ｂ）とを選択的に取ることができるようになっている。
【００８４】
前記バッテリーホルダ７１、第１の端子蓋８１及び第２の端子蓋８２の材質としては、例えば、ＰＣ＋ＡＢＳ（ポリカーボネートとアクリロニトリル・ブタジエン・スチレン樹脂との混合材）が好適である。しかしながら、ＡＢＳその他のエンジニアリングプラスチックを用いることができることは勿論のこと、ステンレス合金やアルミニウム合金その他の金属材料を用いることもできる。押え板９８及び付勢爪１０２，１０３の材質としては、例えば、ＡＢＳが好適であるが、その他のエンジニアリングプラスチックを用いることができることは勿論である。また、第１のヒンジ軸８１、第２のヒンジ軸８２及び圧縮コイルバネ１０４の材質としては、例えば、ステンレス鋼（ＳＵＳ）や炭素鋼（ＳＦ）が好適であるが、その他の金属材料を用いることができる。
【００８５】
第１の端子蓋８１及び第２の端子蓋８２は、例えば、次のようにしてバッテリーホルダ７１に組み立てることができる。２つの端子蓋８１，８２の組立作業は、まず、第１の端子蓋８１をバッテリーホルダ７１に組み立て、次に、第２の端子蓋８２をバッテリーホルダ７１に組み立てるようにする。これとは逆に、第２の端子蓋８２を先に組み立てようとすると、第２のヒンジ軸８５は第１のヒンジ部８４側から組み立てる必要があるが、仕切り片９７のスリット９７ａと対向する部分には切欠き部１０８が形成されている。そのため、第２のヒンジ軸８５の一端をスリット９７ａに臨ませて、所定の姿勢で保持することができないことによる。
【００８６】
まず、図２２、図２３及び図２５に示すように、第１の端子蓋８１を第１のヒンジ部８４に臨ませ、第１のホルダ側軸受部８４ａに一対の第１の蓋側軸受部８４ｂ，８４ｃを噛み合わせる。そして、第１のホルダ側軸受部８４ａの軸受溝９５ａと第１の蓋側軸受部８４ｂ，８４ｃの貫通孔９５ｂ及び挿通孔９５ｃを一致させ、第２のヒンジ部８６と反対側から、これらに第１のヒンジ軸８３を貫通させる。これにより、図２４に示すように、第１の端子蓋８１が第１のヒンジ部８４に回動自在に取り付けられる。また、バッテリーホルダ７１に設けた切欠き部１０８に、第１の端子蓋８１に設けた第１の蓋側軸受部８４ｃが対向され、切欠き部１０８が第１の蓋側軸受部８４ｃによって閉じられた状態となる。
【００８７】
次に、図２２〜図２６に示すように、第２の端子蓋８２を第２のヒンジ部８６に臨ませ、第２のホルダ側軸受部８６ａに一対の第２の蓋側軸受部８６ｂ，８６ｃを噛み合わせる。そして、軸受溝９５ａを閉じる第１のヒンジ軸８３の上に第２のヒンジ軸８５を配置させる。この第２のヒンジ軸８５の配置作業は、第２の端子蓋８２を第２のヒンジ部８６に噛み合わせる作業の前に行うようにしてもよい。その結果、図２７及び図２８に示すように、第２のヒンジ軸８５が第１の蓋側軸受部８４ｃによって所定位置に支持され、第２のヒンジ軸８５の軸方向の一端がスリット９７ａに臨む状態となる。
【００８８】
そこで、図２９に示すように、第２のヒンジ軸８５を第２の端子蓋８２側に押圧し、スリット９７ａを介して貫通孔９６ｂ、軸受孔９６ａ及び挿通孔９６ｃに第２のヒンジ軸８５を挿通させる。これにより、第２の端子蓋８２が第２のヒンジ部８６に回動自在に取り付けられる。次に、図３０に示すように、切欠き部１０８内に軸対向部９８ａを挿入して押え板９８をバッテリーホルダ７１の背面にネジ止めする。この際、押え板９８の固定部９８ｂ，９８ｃによって背面側の開口が閉じられる爪収納部１０１Ａ，１０１Ｂには、付勢爪１０２，１０３と圧縮コイルバネ１０４をそれぞれ収納しておくようにする。
【００８９】
この実施例によれば、長い第１の端子蓋８１を組み立てた後、短い第２の端子蓋８２を組み立てる構成とした。このとき、第２の端子蓋８２の第２のヒンジ軸８５を製品の内部から挿入し、第１の端子蓋８１の軸受部をガイドにして第２のヒンジ部に差し入れるようにした。そのため、外装ケース２の外観にヒンジ軸の差し込み口が露出されることがなく、外観が綺麗であって、しかも、限られたスペースの中で組立性のよい開閉蓋を実現することが可能となった。
【００９０】
これにより、第１の端子蓋８１と第２の端子蓋８２が、バッテリーホルダ７１の背面に縦並び（若しくは横並び）状態で回動自在に取り付けられている。これら第１の端子蓋８１及び第２の端子蓋８２によれば、ビデオカメラ等の電子機器において、信号の入出力に用いられる結線のためのコネクタと電源供給のためのコネクタを長短２つのカバー型の蓋で覆うようにした。この蓋の組立てにおいて、長いカバー型蓋の組立後、その根元の凹部に短いカバー型蓋の回動軸を差し入れるように構成した。その結果、限られたスペースでの組立作業を可能とすることができ、組立性が良好で、使い勝手がよく、しかも、ヒンジ軸の差し込み口が外部に露出されないため外観のよい電子機器を提供することが可能となった。
【００９１】
また、この実施例では、縦方向（横方向、或いは斜め方向でもよい。）に並べて配置された信号系の複数のコネクタを長い第１の端子蓋８１で開閉し、電源系のコネクタを短い第２の端子蓋８２で開閉する構成とした。そのため、開閉操作をあまり必要としない信号系のコネクタと、開閉操作を比較的頻繁に必要とする電源系のコネクタを別個独立の蓋としたことから、必要な蓋を必要なときに開閉することができる。
【００９２】
更に、第４図及び第５図に示すように、第１の端子蓋８１及び第２の端子蓋８２の開放時、これらの端子蓋８１，８２は、バッテリー収納部に収納されているバッテリー７０の側面に沿うように立ち上げられることになる。図４は、第２の端子蓋８２を開放した状態を示しており、この状態で、ＤＣ−ＩＮ用コネクタに電源側の接続端子が接続される。図５は、第１の端子蓋８１と第２の端子蓋８２を共に開放した状態を示している。このように、開放時に第１の端子蓋８１及び第２の端子蓋８２が、開放されたコネクタに外部装置の接続端子を接続する際に邪魔になることがなく、スムースに接続操作や脱離操作を行うことができる。しかも、第１の端子蓋８１及び第２の端子蓋８２が９０度立ち上げられた見映えの良い好ましい姿勢を保持することができる。
【００９３】
以上説明したように、本発明の電子機器によれば、前後のガイド溝の形状を異ならせ、前ガイド溝は緩やかな曲線を描いて緩やかに沈み込む形状とし、後ガイド溝は即座に沈み込む形状とした。そのため、内蔵された構造物をよけ易い蓋の移動軌跡を実現することができ、この種の蓋体移動機構における薄型化、小型化を実現することができた。更に、蓋を閉じたときに、ガイドピンが位置するガイド溝の幅を狭くし、ガイドピンにガタを生じさせないようにしたため、駆動源の振動によっても蓋体が振動されるのを防ぐことができる。一方、ガイド溝のその他の部分の幅は広くしているため、蓋を滑らかに移動することができ、品位ある蓋体移動機構を提供することができる。
【００９４】
本発明は、前述しかつ図面に示した実施の形態に限定されるものではなく、その要旨を逸脱しない範囲内で種々の変形実施が可能である。例えば、前記実施例では、撮像装置の具体例としてデジタルビデオカメラに適用した例について説明したが、アナログビデオカメラに適用できることは勿論のこと、前述したような構造を備えた電子スチルカメラその他の撮像装置は勿論、パーソナルコンピュータ、携帯電話、テレビジョン装置、ステレオ装置、テープレコーダその他各種の電子機器に適用できるものである。
【００９５】
また、前記実施例においては、本発明に係る接続端子としてＨＤＭＩ用コネクタとＡ／Ｖ−Ｒ用コネクタとＤＣ−ＩＮ用コネクタを用いた例について説明したが、その他の接続端子を適用できることは勿論である。また、接続端子の数についても、前記実施例のものに限定されるものではなく、第１の端子取付部に１個又は三以上の接続端子を配置し、第２の端子取付部に二以上の接続端子を配置する構造とすることができることは勿論である。
【図面の簡単な説明】
【００９６】
【図１】本発明の電子機器に係る撮像装置の第１の実施の例を示すビデオカメラを左斜め前方から見た斜視図である。
【図２】本発明の電子機器に係る撮像装置の第１の実施の例を示すビデオカメラを右斜め前方から見た斜視図である。
【図３】本発明の電子機器に係る撮像装置の第１の実施の例を示すビデオカメラの使用状態を説明するもので、表示装置を開いて背面側から見た斜視図である。
【図４】本発明の電子機器に係る撮像装置の第１の実施の例を示すビデオカメラの使用状態を説明するもので、第２の端子蓋を開いて背面側から見た斜視図である。
【図５】本発明の電子機器に係る撮像装置の第１の実施の例を示すビデオカメラの使用状態を説明するもので、第１の端子蓋と第２の端子蓋を開いて背面側から見た斜視図である。
【図６】本発明の電子機器に係る撮像装置の第１の実施の例を示すビデオカメラのトッパカバー及びリアカバーの斜視図である。
【図７】本発明の電子機器に係る撮像装置の第１の実施の例を示すビデオカメラの蓋体移動機構の全閉状態を示すもので、図７Ａは平面図、図７Ｂは図７ＡのＰ１−Ｐ１線断面図、図７Ｃは図７Ｂの要部Ｓ１を拡大した断面図である。
【図８】図８Ａは図７ＡのＱ−Ｑ線断面図、図８Ｂは図７ＡのＲ−Ｒ線断面図である。
【図９】本発明の電子機器に係る撮像装置の第１の実施の例を示すビデオカメラの蓋体移動機構の少し開いた状態を示すもので、図９Ａは平面図、図９Ｂは図９ＡのＰ２−Ｐ２線断面図、図９Ｃは図９Ｂの要部Ｓ２を拡大した断面図である。
【図１０】本発明の電子機器に係る撮像装置の第１の実施の例を示すビデオカメラの蓋体移動機構の途中まで開いた状態を示すもので、図１０Ａは平面図、図１０Ｂは図１０ＡのＴ−Ｔ線断面図、図１０Ｃは図１０ＡのＵ−Ｕ線断面図である。
【図１１】本発明の電子機器に係る撮像装置の第１の実施の例を示すビデオカメラの蓋体移動機構の全開状態を示すもので、図１１Ａは平面図、図１１Ｂは図１１ＡのＶ−Ｖ線断面図、図１１Ｃは図１１ＡのＷ−Ｗ線断面図である。
【図１２】本発明の電子機器に係る撮像装置の第１の実施の例を示すビデオカメラの蓋体移動機構の分解斜視図である。
【図１３】図１２のビデオカメラに係る蓋体移動機構のベース部材を示すもので、図１３Ａは側面図、図１３Ｂは図１３Ａの要部Ｎ１の拡大図、図１３Ｃは図１３Ａの要部Ｎ２の拡大図である。
【図１４】本発明の電子機器に係る撮像装置の第１の実施の例を示すビデオカメラの蓋体移動機構のベース部材に付勢部材を組み立てる状態の説明図である。
【図１５】本発明の電子機器に係る撮像装置の第１の実施の例を示すビデオカメラの蓋体移動機構のベース部材に枠部材を組み立てる状態の説明図である。
【図１６】本発明の電子機器に係る撮像装置の第１の実施の例を示すビデオカメラの蓋体移動機構のベース部材に枠部材を組み立てた状態の平面図である。
【図１７】本発明の電子機器に係る撮像装置の第１の実施の例を示すビデオカメラの蓋体移動機構のベース部材に支持されたスライダにシューカバーを組み立てる状態の説明図である。
【図１８】本発明の電子機器に係る撮像装置の第１の実施の例を示すビデオカメラの蓋体移動機構のベース部材にバネ受け部材を組み立てる状態の説明図である。
【図１９】本発明の電子機器に係る撮像装置の第１の実施の例を示すビデオカメラの蓋体移動機構のバネ受け部材に捩りバネを組み立てた状態の説明図である。
【図２０】本発明の電子機器に係る撮像装置の第１の実施の例を示すビデオカメラの蓋体移動機構のシューカバーの全閉状態を示すもので、図２０Ａは平面図、図２０Ｂは側面図である。
【図２１】本発明の電子機器に係る撮像装置の第１の実施の例を示すビデオカメラの蓋体移動機構のシューカバーを少し開いた状態を示すもので、図２１Ａは平面図、図２１Ｂは側面図である。
【図２２】本発明の電子機器に係る撮像装置の第１の実施の例を示すビデオカメラの蓋取付構造を説明するもので、第１の端子蓋と第２の端子蓋を分解してバッテリー収納部側から見た説明図である。
【図２３】本発明の電子機器に係る撮像装置の第１の実施の例を示すビデオカメラの蓋取付構造を説明するもので、第１の端子蓋と第２の端子蓋を分解して背面側から見た説明図である。
【図２４】本発明の電子機器に係る撮像装置の第１の実施の例を示すビデオカメラの蓋取付構造を説明するもので、第１の端子蓋を組み立てて背面側から見た説明図である。
【図２５】本発明の電子機器に係る撮像装置の第１の実施の例を示すビデオカメラの蓋取付構造を説明するもので、第１の端子蓋と第２の端子蓋を分解して背面側から見た要部説明図である。
【図２６】本発明の電子機器に係る撮像装置の第１の実施の例を示すビデオカメラの蓋取付構造を説明するバッテリー収納部側から見た説明図である。
【図２７】本発明の電子機器に係る撮像装置の第１の実施の例を示すビデオカメラの蓋取付構造を説明する背面側から見た説明図である。
【図２８】本発明の電子機器に係る撮像装置の第１の実施の例を示すビデオカメラの蓋取付構造を説明するもので、図２７のＸ−Ｘ線断面図である。
【図２９】図２８の状態から、第２のヒンジ軸を移動させて第２のヒンジ部に挿入した状態を説明するもので、図２７のＸ−Ｘ線断面図である。
【図３０】図２９の状態から、軸受溝に押え板を挿入した状態を説明するもので、図２７のＸ−Ｘ線断面図である。
【図３１】本発明の電子機器に係る撮像装置の第１の実施の例を示すビデオカメラの蓋取付構造を説明するもので、図３１Ａは２つの端子蓋を閉じた状態の正面図、図３１Ｂは図３１ＡのＹ−Ｙ線断面図である。
【図３２】本発明の電子機器に係る撮像装置の第１の実施の例を示すビデオカメラの蓋取付構造を説明するもので、図３２Ａは第２の端子蓋を開いた状態の正面図、図３２Ｂは図３２ＡのＺ−Ｚ線断面図である。
【符号の説明】
【００９７】
１…デジタルビデオカメラ（撮像装置、電子機器）、  ２…外装ケース（筐体）、  ３…レンズ装置、  ４…表示装置、  ３０…トップカバー、  ３１…リアカバー、  ３５…開口部、  ３６…シューカバー（蓋体）、  ３６ａ…嵌合部、  ３７…蓋体移動機構、  ４４…ベース部材、  ４４ａ…側壁部、  ４５…付勢部材、  ４６…枠部材、  ４７…アクセサリーシュー（構造物）、  ４８…スライダ、  ５１…第１のガイド溝、  ５１ａ，５２ａ…前水平部、  ５１ｂ，５２ｂ…傾斜部、  ５１ｃ，５２ｃ…後水平部、  ５１a1…収納部、  ５１a2…テーパ部、  ５２…第２のガイド溝、  ５３Ａ，５３Ｂ…ガイドピン、  ５５…弾性体、  ５５ａ…突起部、  ７０…バッテリー（電源）、  ７１…バッテリーホルダ、  ７２…バッテリー収納部、  ８１…第１の端子蓋、  ８２…第２の端子蓋、  ８３…第１のヒンジ軸、  ８４…第１のヒンジ部、  ８４ａ…第１のホルダ側軸受部、  ８４ｂ，８４ｃ…第１の蓋側軸受部、  ８５…第２のヒンジ軸、  ８６…第２のヒンジ部、  ８６ａ…第２のホルダ側軸受部、  ８６ｂ，８６ｃ…第２の蓋側軸受部、  ８７…第１の端子取付部、  ８８…第２の端子取付部、  ９５ａ…軸受溝、  ９５ｂ…貫通孔、  ９５ｃ…挿通孔、  ９６ａ…軸受孔、  ９６ｂ…貫通孔、  ９６ｃ…挿通孔、  ９７…仕切り片、  ９７ａ…スリット、  ９８…押え板、  ９８ａ…軸対向部、  １０７…凹曲面部、  １０８…切欠き部
【図１】
2010002514.tif 000003
【図２】
2010002514.tif 000004
【図３】
2010002514.tif 000005
【図４】
2010002514.tif 000006
【図５】
2010002514.tif 000007
【図６】
2010002514.tif 000008
【図７】
2010002514.tif 000009
【図８】
2010002514.tif 000010
【図９】
2010002514.tif 000011
【図１０】
2010002514.tif 000012
【図１１】
2010002514.tif 000013
【図１２】
2010002514.tif 000014
【図１３】
2010002514.tif 000015
【図１４】
2010002514.tif 000016
【図１５】
2010002514.tif 000017
【図１６】
2010002514.tif 000018
【図１７】
2010002514.tif 000019
【図１８】
2010002514.tif 000020
【図１９】
2010002514.tif 000021
【図２０】
2010002514.tif 000022
【図２１】
2010002514.tif 000023
【図２２】
2010002514.tif 000024
【図２３】
2010002514.tif 000025
【図２４】
2010002514.tif 000026
【図２５】
2010002514.tif 000027
【図２６】
2010002514.tif 000028
【図２７】
2010002514.tif 000029
【図２８】
2010002514.tif 000030
【図２９】
2010002514.tif 000031
【図３０】
2010002514.tif 000032
【図３１】
2010002514.tif 000033
【図３２】
2010002514.tif 000034